(57)【要約】  ネットワークを流れるデータの増加及びその背景にある端末数の増加による影響の軽減。コアネットワークノードは、ページングメッセージの送信先となる基地局の候補を記憶するページング候補記憶部と、前記基地局の候補の通信機能に関する情報を記憶する基地局情報記憶部と、所定の移動局に対しページングを実施する際に、前記基地局の候補の中から、前記基地局の候補の通信機能に基づいて、ページングを行う範囲を選択するページング先選択部と、前記選択した範囲に対応する基地局にページングを指示するページング指示部と、を備える。
2016159356.tif 000002
【特許請求の範囲】
【請求項１】
ページングメッセージの送信先となる基地局の候補を記憶するページング候補記憶部と、
前記基地局の候補の通信機能に関する情報を記憶する基地局情報記憶部と、
所定の移動局に対しページングを実施する際に、前記基地局の候補の中から、前記基地局の候補の通信機能に基づいて、ページングを行う範囲を選択するページング先選択部と、
前記選択した範囲に対応する基地局にページングを指示するページング指示部と、
を備えるコアネットワークノード。
【請求項２】
前記通信機能に関する情報は、前記基地局の候補の使用周波数を特定可能な情報であり、前記ページング先選択部は、前記所定の移動局が対応する周波数でページング可能な基地局又はセルを選択する請求項１のコアネットワークノード。
【請求項３】
前記基地局と授受するメッセージの情報要素から、前記基地局の候補の使用周波数を特定可能な情報を取り出して、前記基地局情報記憶部に格納する基地局情報取得部を備える請求項２のコアネットワークノード。
【請求項４】
前記基地局と授受するメッセージの情報要素から、前記基地局の候補のセルの使用周波数を特定可能な情報を取り出して、前記基地局情報記憶部に格納する基地局情報取得部を備える請求項１のコアネットワークノード。
【請求項５】
前記通信機能に関する情報は、前記基地局の候補のデュプレックスモード、周波数幅、ＭＩＭＯ構成を含む情報であり、前記ページング先選択部は、前記所定の移動局が対応する通信方式でページング可能な基地局又はセルを選択する請求項１のコアネットワークノード。
【請求項６】
前記通信機能に関する情報は、前記基地局の候補の運用形態を示す情報であり、前記ページング先選択部は、前記所定の移動局に対応する運用形態で動作している基地局又はセルを選択する請求項１のコアネットワークノード。
【請求項７】
前記基地局と授受するメッセージの情報要素に代えて、移動局と授受するメッセージの情報要素から前記基地局の候補の通信機能に関する情報を取得する請求項１から６いずれか一のコアネットワークノード。
【請求項８】
前記基地局と授受するメッセージの情報要素に代えて、
移動局から前記基地局の候補の通信機能に関する情報を受信する外部サーバ経由で、前記ページングを行う範囲を選択するための情報を取得する請求項１から６いずれか一のコアネットワークノード。
【請求項９】
ページングメッセージの送信先となる基地局の候補を記憶するページング候補記憶部と、前記基地局の候補の通信機能に関する情報を記憶する基地局情報記憶部と、所定の移動局に対しページングを実施する際に、前記基地局の候補の中から、前記基地局の候補の通信機能に基づいて、ページングを行う範囲を選択するページング先選択部と、前記選択した範囲に対応する基地局にページングを指示するページング指示部と、を備えるコアネットワークノードと通信可能な基地局であって、
前記コアネットワークノードに対し、前記基地局の候補の通信機能に関する情報を送信する基地局。
【請求項１０】
前記通信機能に関する情報は、前記基地局の候補の使用周波数を特定可能な情報である請求項９の基地局。
【請求項１１】
前記コアネットワークノードと授受するメッセージの情報要素に、前記基地局の候補の使用周波数を特定可能な情報を格納して前記コアネットワークノードに送信する基地局情報送信部を備える請求項１０の基地局。
【請求項１２】
前記コアネットワークノードと授受するメッセージの情報要素に、前記基地局の候補のセルの使用周波数を特定可能な情報を格納して前記コアネットワークノードに送信する請求項９の基地局。
【請求項１３】
前記コアネットワークノードと授受するメッセージの情報要素に、前記基地局の候補のデュプレックスモード、周波数幅、ＭＩＭＯ構成を含む情報を格納して前記コアネットワークノードに送信する請求項９の基地局。
【請求項１４】
前記コアネットワークノードと授受するメッセージの情報要素に、前記基地局の候補の運用形態を示す情報を格納して前記コアネットワークノードに送信する請求項９の基地局。
【請求項１５】
ページングメッセージの送信先となる基地局の候補を記憶するページング候補記憶部と、前記基地局の候補の通信機能に関する情報を記憶する基地局情報記憶部と、所定の移動局に対しページングを実施する際に、前記基地局の候補の中から、前記基地局の候補の通信機能に基づいて、ページングを行う範囲を選択するページング先選択部と、前記選択した範囲に対応する基地局にページングを指示するページング指示部と、を備えるコアネットワークノードと通信可能な移動局であって、
前記コアネットワークノードに対し、前記基地局の候補の通信機能に関する情報を送信する移動局。
【請求項１６】
ページングメッセージの送信先となる基地局の候補を記憶するページング候補記憶部と、前記基地局の候補の通信機能に関する情報を記憶する基地局情報記憶部と、所定の移動局に対しページングを実施する際に、前記基地局の候補の中から、前記基地局の候補の通信機能に基づいて、ページングを行う範囲を選択するページング先選択部と、前記選択した範囲に対応する基地局にページングを指示するページング指示部と、を備えるコアネットワークノードと通信可能なサーバであって、
前記コアネットワークノードに対し、移動局から受信した前記基地局の候補の通信機能に基づいたページング範囲の選択を行うための情報を送信するサーバ。
【請求項１７】
ページングメッセージの送信先となる基地局の候補を記憶するページング候補記憶部と、前記基地局の候補の通信機能に関する情報を記憶する基地局情報記憶部と、所定の移動局に対しページングを実施する際に、前記基地局の候補の中から、前記基地局の候補の通信機能に基づいて、ページングを行う範囲を選択するページング先選択部と、前記選択した範囲に対応する基地局にページングを指示するページング指示部と、を備えるコアネットワークノードを含む通信システム。
【請求項１８】
ページングメッセージの送信先となる基地局の候補を記憶するページング候補記憶部と、
前記基地局の候補の通信機能に関する情報を記憶する基地局情報記憶部と、を備えるコアネットワークノードにおいて、
所定の移動局に対しページングを実施する際に、前記基地局の候補の中から、前記基地局の候補の通信機能に基づいて、ページングを行う範囲を選択するステップと、
前記選択した範囲に対応する基地局にページングを指示するステップと、
を含むページング方法。
【請求項１９】
ページングメッセージの送信先となる基地局の候補を記憶するページング候補記憶部と、
前記基地局の候補の通信機能に関する情報を記憶する基地局情報記憶部と、を備えるコアネットワークノードを構成するコンピュータに、
所定の移動局に対しページングを実施する際に、前記基地局の候補の中から、前記基地局の候補の通信機能に基づいて、ページングを行う範囲を選択する処理と、
前記選択した範囲に対応する基地局にページングを指示する処理と、
を実行させるプログラム。
【発明の詳細な説明】
【技術分野】
【０００１】
［関連出願についての記載］
本発明は、日本国特許出願：特願２０１５−０７７０６６号（２０１５年４月３日出願）に基づくものであり、同出願の全記載内容は引用をもって本書に組み込み記載されているものとする。
本発明は、コアネットワークノード、基地局、移動局、サーバ、通信システム、ページング方法及びプログラムに関する。
【背景技術】
【０００２】
スマートフォンの登場により、移動通信事業者のネットワークには膨大なデータが流れており、その量は増加の一途を辿っている。これには幾つか理由がある。インターネットに接続して動画のダウンロードやアップロードを行う人が増えていること、スマートフォンの音声通話機能の代わりにスマートフォンにインストールしたアプリケーションで絵や文字で連絡を取る人が増えていること、健康の維持・管理を目的として心拍数、血圧、歩数、消費カロリー量、睡眠時間などの情報をウェアラブル端末から取得してデータをアップロードし、目的に合致したサービスを受け取る為にデータをダウンロードする人が増えていること、アプリケーションが所有者の意思に関係なく常時データの送受信を行うこと等が挙げられる。【０００３】
さらに、ネットワークを流れるデータの増加に拍車をかける新たな要因となる、Ｉｎｔｅｒｎｅｔ  ｏｆ  Ｔｈｉｎｇｓ（「モノのインターネット」とも呼ばれる。以下、「ＩｏＴ」）という取り組みが進められている。これはあらゆる機器に通信機能を組み込み、制御することで今までに無い価値を生み出すことを目的としている。ＩＰｖ６の導入により機器に割り当て可能なＩＰアドレスが著しく増え、Ｍａｃｈｉｎｅ  Ｔｙｐｅ  Ｃｏｍｍｕｎｉｃａｔｉｏｎ（以下、「ＭＴＣ」）端末と呼ばれる人間同士でなく機械同士で情報を交換するための装置を至る所に設置できるようになったことで、ＩｏＴの実現が加速するのは確実である。【０００４】
ＭＴＣ端末は設置を容易にするため、有線ではなく無線で取得したデータをサーバなどの他の機器に送ることが想定されている。そして当然ながら無線通信ネットワークとして無線ＬＡＮだけでなく携帯電話ネットワークも使用される。ＭＴＣ端末はネットワークから制御情報を受信することがあり、この場合まずＭｏｂｉｌｉｔｙ  Ｍａｎａｇｅｍｅｎｔ  Ｅｎｔｉｔｙ（以下、「ＭＭＥ」）がページングメッセージをＭＴＣ端末に送信する。Ｌｏｎｇ  Ｔｅｒｍ  Ｅｖｏｌｕｔｉｏｎ（以下、「ＬＴＥ」）においては端末の位置をＴＡＩ  Ｌｉｓｔ（Ｔｒａｃｋｉｎｇ  Ａｒｅａ  Ｉｄｅｎｔｉｔｙ  Ｌｉｓｔ）という単位で管理しており、ページングはＭＭＥがＴＡＩ  Ｌｉｓｔに含まれるＴＡＩを割り当てられたセルを有するすべてのＥｖｏｌｖｅｄ  ＮｏｄｅＢ（基地局；以下、「ｅＮＢ」）に送信する。そのためＭＴＣ端末にページングメッセージを送信する場合、ＭＴＣ端末の在圏するセルと同じＴＡＩを割り当てられたセルを有するｅＮＢすべてにページングメッセージが送信されてしまう。それぞれのＭＴＣ端末が定期的にデータを送信し、それの受信確認などのメッセージをＭＴＣに送信するためにページングメッセージが送られるとすると、ネットワークはページングメッセージの処理で輻輳してしまうことが懸念されている。【０００５】
非特許文献１、２は、上記ページングメッセージの処理に関する文献である。非特許文献３−６は、本発明に関連しうる３ＧＰＰの仕様書である。
【先行技術文献】
【非特許文献】
【０００６】
【非特許文献１】３ＧＰＰ  ＳＡ  ＷＧ２  ＴＤ、“Ｐａｇｉｎｇ  Ｏｐｔｉｍｉｚａｔｉｏｎ  ｆｏｒ  ｔｈｅ  ｌｏｗ  ｍｏｂｉｌｉｔｙ  ｄｅｖｉｃｅｓ”、  Ｓ２−１４１８８４  ３ＧＰＰ  ＴＳＧ−ＳＡ−ＷＧ２  Ｍｅｅｔｉｎｇ  ＃１０３、２０１４年５月１９−２３日、［online］、［平成27年3月23日検索］、インターネット〈URL：http://www.3gpp.org/FTP/TSG_SA/WG2_Arch/TSGS2_103_Phoenix/Docs/S2-141884.zip〉
【非特許文献２】３ＧＰＰ  ＳＡ  ＷＧ２  ＴＤ、“Ｐａｇｉｎｇ  Ｌｏａｄ  Ｒｅｄｕｃｔｉｏｎ”、Ｓ２−１４４２７３  ３ＧＰＰ  ＴＳＧ−ＳＡ−ＷＧ２  Ｍｅｅｔｉｎｇ  ＃１０６、２０１４年１１月１７−２１日、［online］、［平成27年3月23日検索］、インターネット〈URL：http://www.3gpp.org/ftp/tsg_sa/WG2_Arch/TSGS2_106_San_Francisco/Docs/S2-144273.zip〉
【非特許文献３】Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｓ１  Ａｐｐｌｉｃａｔｉｏｎ  Ｐｒｏｔｏｃｏｌ  （Ｓ１ＡＰ）  ［３ＧＰＰ  ＴＳ３６．４１３  ｖ１２．４．０］、［online］、［平成27年3月23日検索］、インターネット〈URL：http://www.3gpp.org/ftp/Specs/archive/36_series/36.413/36413-c40.zip〉
【非特許文献４】Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ  ［３ＧＰＰ  ＴＳ２３．４０１  ｖ１３．１．０］ 、［online］、［平成27年3月23日検索］、インターネット〈URL：http://www.3gpp.org/ftp/Specs/archive/23_series/23.401/23401-d10.zip〉
【非特許文献５】Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｏｖｅｒａｌｌ  ｄｅｓｃｒｉｐｔｉｏｎ；  Ｓｔａｇｅ  ２  ［３ＧＰＰ  ＴＳ３６．３００  ｖ１２．４．０］、［online］、［平成27年3月23日検索］、インターネット〈URL：http://www.3gpp.org/ftp/Specs/archive/36_series/36.300/36300-c40.zip〉
【非特許文献６】Ｔｅｌｅｃｏｍｍｕｎｉｃａｔｉｏｎ  ｍａｎａｇｅｍｅｎｔ；  Ｓｕｂｓｃｒｉｂｅｒ  ａｎｄ  ｅｑｕｉｐｍｅｎｔ  ｔｒａｃｅ；  Ｔｒａｃｅ  ｃｏｎｔｒｏｌ  ａｎｄ  ｃｏｎｆｉｇｕｒａｔｉｏｎ  ｍａｎａｇｅｍｅｎｔ  ［３ＧＰＰ  ＴＳ３２．４２２  ｖ１２．４．０］、［online］、［平成27年3月23日検索］、インターネット〈URL：http://www.3gpp.org/ftp/Specs/archive/32_series/32.422/32422-c40.zip〉
【非特許文献７】Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ)；  Ｒａｄｉｏ  Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ  ［３ＧＰＰ  ＴＳ３６．３３１  ｖ１２．５．０］、[online]、［平成27年4月1日検索］、インターネット  <URL：http://www.3gpp.org/ftp/Specs/archive/36_series/36.331/36331-c50.zip>
【発明の概要】
【発明が解決しようとする課題】
【０００７】
上述した端末数の増加がもたらすネットワーク内の制御信号の量や、制御信号の処理負荷の増大の抑制が望まれている。【０００８】
本発明は、上記ネットワーク内の制御信号の量や、制御信号の処理負荷の増大の抑制に貢献できるコアネットワークノード、基地局、移動局、サーバ、通信システム、ページング方法及びプログラムを提供することを目的とする。
【課題を解決するための手段】
【０００９】
第１の視点によれば、ページングメッセージの送信先となる基地局の候補を記憶するページング候補記憶部を備えるコアネットワークノードが提供される。このコアネットワークノードは、さらに、前記基地局の候補の通信機能に関する情報を記憶する基地局情報記憶部を備える。このコアネットワークノードは、さらに、所定の移動局に対しページングを実施する際に、前記基地局の候補の中から、前記基地局の候補の通信機能に基づいて、ページングを行う範囲を選択するページング先選択部を備える。このコアネットワークノードは、さらに、前記選択した範囲に対応する基地局にページングを指示するページング指示部を備える。【００１０】
第２の視点によれば、上記したコアネットワークノードに対し、前記基地局の候補の通信機能に関する情報を送信する基地局、移動局又はサーバが提供される。【００１１】
第３の視点によれば、上記したコアネットワークノードを含む通信システムが提供される。【００１２】
第４の視点によれば、ページングメッセージの送信先となる基地局の候補を記憶するページング候補記憶部と、前記基地局の候補の通信機能に関する情報を記憶する基地局情報記憶部と、を備えるコアネットワークノードにおいて、所定の移動局に対しページングを実施する際に、前記基地局の候補の中から、前記基地局の候補の通信機能に基づいて、ページングを行う範囲を選択するステップと、前記選択した範囲に対応する基地局にページングを指示するステップと、を含むページング方法が提供される。本方法は、基地局にページングを指示するコアネットワークノードという、特定の機械に結びつけられている。【００１３】
第５の視点によれば、上記コアネットワークノードの機能を実現するためのコンピュータプログラムが提供される。なお、このプログラムは、コンピュータが読み取り可能な（非トランジエントな）記憶媒体に記録することができる。即ち、本発明は、コンピュータプログラム製品として具現することも可能である。
なお、前記したコアネットワークノード、基地局、移動局、サーバ、通信システム、ページング方法及びプログラムの各要素は、それぞれ上記した課題の解決に貢献する。
【発明の効果】
【００１４】
本発明によれば、上記ネットワーク内の制御信号の量や、制御信号の処理負荷の増大の抑制に貢献することが可能となる。また、本発明は、背景技術に示したコアネットワークノードを、ネットワーク内の制御信号の量や、制御信号の処理負荷の増大の抑制の点で優位性を有するコアネットワークノードへと変換するものともなっている。
【図面の簡単な説明】
【００１５】
【図１】本発明の一実施形態の構成を示す図である。
【図２】本発明の第１の実施形態の移動通信システムの構成を示す図である。
【図３】本発明の第１の実施形態の基地局が構成するセルを説明するための図である。
【図４】本発明の第１の実施形態のＭＭＥにて保持される基地局情報の一例である。
【図５】本発明の第１の実施形態のＭＭＥにて保持される端末情報の一例である。
【図６】本発明の第１の実施形態の動作（ｅＮＢ情報の取得処理）を示すシーケンス図である。
【図７】本発明の第１の実施形態の動作（ページング処理）を示すシーケンス図である。
【図８】本発明の第１の実施形態のｅＮＢからＭＭＥに送信されるメッセージの一例を示す図である。
【図９】本発明の第１の実施形態のｅＮＢからＭＭＥに送信されるメッセージの一例を示す図である。
【図１０】図８、図９のメッセージに含まれる情報要素を説明するための図である。
【図１１】本発明の第２の実施形態の基地局が構成するセルを説明するための図である。
【図１２】本発明の第２の実施形態のＭＭＥにて保持される基地局情報の一例である。
【図１３】本発明の第２の実施形態の動作（ｅＮＢ情報の取得処理）を示すシーケンス図である。
【図１４】本発明の第２の実施形態の動作（ページング処理）を示すシーケンス図である。
【図１５】本発明の第２の実施形態のｅＮＢからＭＭＥに送信されるメッセージに含まれる情報要素を説明するための図である。
【図１６】本発明の第２の実施形態のＭＭＥからｅＮＢに送信されるページングメッセージの一例を示す図である。
【図１７】図１６のページングメッセージに含まれる情報要素を説明するための図である。
【図１８】本発明の第２の実施形態と非特許文献３との差分を説明するための図である。
【図１９】本発明の第３の実施形態のＭＭＥにて保持される基地局情報の一例である。
【図２０】本発明の第３の実施形態の動作（ｅＮＢ情報の取得処理）を示すシーケンス図である。
【図２１】本発明の第３の実施形態の動作（ページング処理）を示すシーケンス図である。
【図２２】本発明の第１の実施形態のｅＮＢからＭＭＥに送信されるメッセージの一例を示す図である。
【図２３】本発明の第１の実施形態のｅＮＢからＭＭＥに送信されるメッセージの一例を示す図である。
【図２４】図２２、図２３のメッセージに含まれる情報要素を説明するための図である。
【図２５】本発明の第３の実施形態と非特許文献４との差分を説明するための図である。
【図２６】本発明の第３の実施形態と非特許文献４との差分を説明するための図である。
【図２７】本発明の第３の実施形態と非特許文献５との差分を説明するための図である。
【図２８】本発明の第３の実施形態のＭＭＥからｅＮＢに送信されるページングメッセージの一例を示す図である。
【図２９】図２８のページングメッセージに含まれる情報要素を説明するための図である。
【図３０】本発明の第４の実施形態のＭＭＥにて保持される基地局情報の一例である。
【図３１】本発明の第４の実施形態の動作（ｅＮＢ情報の取得処理）を示すシーケンス図である。
【図３２】本発明の第４の実施形態の動作（ページング処理）を示すシーケンス図である。
【図３３】本発明の第４の実施形態のｅＮＢからＭＭＥに送信されるメッセージの一例を示す図である。
【図３４】本発明の第４の実施形態のｅＮＢからＭＭＥに送信されるメッセージの一例を示す図である。
【図３５】図３３、図３４のメッセージに含まれる情報要素を説明するための図である。
【図３６】本発明の第４の実施形態のＭＭＥからｅＮＢに送信されるページングメッセージの一例を示す図である。
【図３７】図３６のページングメッセージに含まれる情報要素を説明するための図である。
【図３８】本発明の第５の実施形態のＭＭＥにて保持される基地局情報の一例である。
【図３９】本発明の第５の実施形態の動作（ｅＮＢ情報の取得処理）を示すシーケンス図である。
【図４０】本発明の第５の実施形態の動作（ページング処理）を示すシーケンス図である。
【図４１】本発明の第５の実施形態のｅＮＢからＭＭＥに送信されるメッセージの一例を示す図である。
【図４２】本発明の第５の実施形態のｅＮＢからＭＭＥに送信されるメッセージの一例を示す図である。
【図４３】図４１、図４２のメッセージに含まれる情報要素を説明するための図である。
【図４４】本発明の第５の実施形態のＭＭＥからｅＮＢに送信されるページングメッセージの一例を示す図である。
【図４５】図４４のページングメッセージに含まれる情報要素を説明するための図である。
【図４６】本発明の第６の実施形態の動作（ｅＮＢ情報の取得処理）を示すシーケンス図である。
【図４７】本発明の第６の実施形態の動作（ページング処理）を示すシーケンス図である。
【図４８】図４５のＵＥからＭＭＥに送信されるメッセージに含まれる情報要素を説明するための図である。
【図４９】本発明の第７の実施形態の移動通信システムの構成を示す図である。
【図５０】本発明の第７の実施形態の動作（ｅＮＢ情報の取得処理）を示すシーケンス図である。
【図５１】本発明の第７の実施形態の動作（ページング処理）を示すシーケンス図である。
【図５２】本発明の第２の実施形態のページングメッセージの変形例を示す図である。
【発明を実施するための形態】
【００１６】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。
【００１７】
本発明は、その一実施形態において図１に示すように、ページング候補記憶部１０１Ａと、基地局情報記憶部１０２Ａと、ページング先選択部１０３Ａと、ページング指示部１０４Ａと、を備えるコアネットワークノード１００Ａにて実現できる。
【００１８】
前記ページング候補記憶部１０１Ａは、ページングメッセージの送信先となる基地局２００Ａの候補を記憶する。この基地局の候補としては、端末のＴＡＩ  Ｌｉｓｔに含まれるＴＡＩを割り当てられたセルを有する基地局のリストを用いることができる。
【００１９】
基地局情報記憶部１０２Ａは、前記基地局の候補の通信機能に関する情報を記憶する。通信機能としては、特定の移動局へページングする際の基地局を絞りこみ又はページング対象外の基地局を除外可能なものであればよく、特に限定されない。例えば、各基地局について、その基地局の対応可能な周波数を特定できる情報が保持される。もちろん、周波数に限らず、ターゲットとなる移動局の通信機能に対応する機能を基地局が備えているか否かといった情報を保持してもよい。
【００２０】
ページング先選択部１０３Ａは、所定の移動局に対しページングを実施する際に、基地局２００Ａの候補の中から、前記基地局の候補の通信機能に基づいて、ページングを行う範囲を選択する。例えば、ページングすべき移動局が特定の周波数しか対応していないことが判明している場合、ページング先選択部１０３Ａは、ページング先として、前記特定の周波数に対応している基地局やセルを選択する。
【００２１】
ページング指示部１０４Ａは、前記選択した範囲に対応する基地局に対し、ページングを指示する。例えば、ページング対象の移動局が特定の周波数にしか対応していないことが判明している場合、ページング先選択部１０３Ａは、ページングメッセージの送信先となる基地局の中から、前記特定の周波数に対応する基地局をページング先に選択する。このとき、前記特定の周波数に対応していない基地局やセルは、ページング依頼先から除外されることになる。これにより、コアネットワークノード１００Ａ及び基地局２００Ａの通信負荷を下げることができる。この場合、すべての端末に対するページング発生数に対し、特定の周波数に対応していない移動局へのページングの割合が増大すればするほど、その効果は向上する。
【００２２】
［第１の実施形態］
続いて、本発明の第１の実施形態について図面を参照して詳細に説明する。図２は、本発明の第１の実施形態による移動通信システムの構成の一例を示した図である。図２を参照すると、ＭＭＥ１００、ｅＮＢ２００、ｅＮＢ２１０、ｅＮＢ２２０及びＵＥ３００を含む移動通信システムが示されている。
【００２３】
ＭＭＥ１００は、送受信部１０１、処理部１０２、及び記憶部１０３を含み、ＵＥ３００の位置管理や、呼出、基地局間ハンドオーバなどの管理を行うノード（上述のコアネットワークノードの一例）である。ＭＭＥ１００は、ｅＮＢ２１０、ｅＮＢ２２０及びｅＮＢ２３０とＳ１ＡＰ（Ｓ１  Ａｐｐｌｉｃａｔｉｏｎ  Ｐｒｏｔｏｃｏｌ）を用いた通信が可能である。ここでＭＭＥ１００は、送受信部１０１にて情報の送受信処理を行い、処理部１０２にて送受信する情報の生成や解析の処理を行い、記憶部１０３にて送受信する情報を記憶する処理を行う。記憶部１０３は、前述のページング候補記憶部１０１Ａ及び基地局情報記憶部１０２Ａに相当し、送受信部１０１及び処理部１０２は、ページング先選択部１０３Ａ及びページング指示部１０４Ａとして機能することになる。
【００２４】
ｅＮＢ２００〜２２０（上述の基地局に相当）は、それぞれ送受信部２０１、処理部２０２及び記憶部２０３を含む。ｅＮＢ２００〜２２０は、ＭＭＥ１００との間でＳ１ＡＰを用いたメッセージの送受信を行う。ｅＮＢ２００〜２２０は、他のｅＮＢとの間ではＸ２ＡＰ（Ｘ２  Ａｐｐｌｉｃａｔｉｏｎ  Ｐｒｏｔｏｃｏｌ）を用いたメッセージの送受信を行う。
【００２５】
また、ｅＮＢ２００〜２２０は、Ｕｕインターフェースを介して、ＵＥ３００と通信可能となっている。ｅＮＢ２００〜２２０は、それぞれ送受信部２０１にて情報の送受信処理を行い、処理部２０２にて送受信する情報の生成や解析の処理を行い、記憶部２０３にて送受信する情報を記憶する処理を行う。
【００２６】
ＵＥ３００は、送受信部３０１、処理部３０２及び記憶部３０３を含む。ＵＥ３００は、上述したようにｅＮＢ（例えば、ｅＮＢ２００）との間で無線による通信を行う。ここで、ＵＥ３００は、送受信部３０１にて情報の送受信処理を行い、処理部３０２にて送受信する情報の生成や解析の処理を行い、記憶部３０３にて送受信する情報を記憶する処理を行う。
【００２７】
図３は、本発明の第１の実施形態の基地局が構成するセルを説明するための図である。図３の例では、ｅＮＢ２００が構成するセル２００−１、２００−２、２００−３はすべて周波数Ｆ０で運用されている。ｅＮＢ２１０が構成するセル２１０−１、２１０−２、２１０−３も同様に全て周波数Ｆ０で運用されている。一方、ｅＮＢ２２０が構成するセル２２０−１、２２０−２、２２０−３はすべて周波数Ｆ１で運用されている。以下の説明では、周波数Ｆ０はＭＴＣ端末であるＵＥ３００が対応している周波数であり、Ｆ１はＭＴＣ端末であるＵＥ３００は対応していないがＵＥ３００以外のＭＴＣ端末は対応している周波数であるとする。ここでは、周波数Ｆ０、Ｆ１共にＭＴＣ端末以外の端末が対応していてもよい。なお、ＵＥ３００は、ｅＮＢ２００のセル２００−１に在圏しているものとする。
【００２８】
図４は、上述のケースで、ＭＭＥ１００の記憶部１０３に保持される基地局情報の一例である。図４の例では、ｅＮＢ２００〜２２０についてそれぞれ使用可能な周波数が記憶されている。このような基地局情報の収集方法については、後に本実施形態の動作とともに説明する。
【００２９】
図５は、ＭＭＥ１００の記憶部１０３に保持される端末情報の一例である。図５の例では、ＵＥ３００について、その端末カテゴリーと、対応周波数が記憶されている。また、図５の例では、ＵＥ３００のみが登録されている。これは、ＵＥ３００が、ページング先の選択可能な端末であることを意味している。このような端末情報の収集方法については、後に本実施形態の動作とともに説明する。
【００３０】
続いて、本実施形態の動作について図面を参照して詳細に説明する。図６、図７は、本発明の第１の実施形態の動作を示すシーケンス図である。以下、両図を参照してＵＥ３００、ｅＮＢ２００及びＭＭＥ１００の動作を説明する。
【００３１】
まず、図６を参照して、ｅＮＢ２００とＭＭＥ１００との間でＳ１接続が確立していない状態から基地局情報が取得されるまでの動作フローを説明する（図６の破線内Ｓ１１０参照）。この場合、ｅＮＢ２００は、ＭＭＥ１００に対して、Ｓ１ＡＰ：  Ｓ１  ＳＥＴＵＰ  ＲＥＱＵＥＳＴメッセージを送信する（Ｓ１１１）。なお、ｅＮＢ２１０及びｅＮＢ２２０も、ｅＮＢ２００と同様の動作をする。当該メッセージは、Ｓ１接続を確立するために、トランスポートネットワークレイヤ（ＴＮＬ：Ｔｒａｎｓｐｏｒｔ  Ｎｅｔｗｏｒｋ  Ｌａｙｅｒ）の接続が利用可能となった後はじめてｅＮＢがＭＭＥに送信するメッセージであり、その詳細は非特許文献３に記載されている。当該メッセージにより、ｅＮＢ２００は、ＭＭＥ１００に、ｅＮＢ２００が使用可能であるすべての周波数の情報を含む情報要素ＥＮＢ  Ｓｕｐｐｏｒｔｉｎｇ  Ｆｒｅｑｕｅｎｃｙ  Ｌｉｓｔを通知する。これらの情報の詳細は後述する。
【００３２】
一方、ｅＮＢ２００とＭＭＥ１００との間で既にＳ１接続が確立している場合の動作フローを説明する（図６の破線内Ｓ１２０参照）。この場合、ｅＮＢ２００は、ＭＭＥ１００に対して、Ｓ１ＡＰ：  ＥＮＢ  ＣＯＮＦＩＧＵＲＡＴＩＯＮ  ＵＰＤＡＴＥメッセージを送信する（Ｓ１２１）。なお、ｅＮＢ２１０及びｅＮＢ２２０も、ｅＮＢ２００と同様の動作をする。Ｓ１ＡＰ：  ＥＮＢ  ＣＯＮＦＩＧＵＲＡＴＩＯＮ  ＵＰＤＡＴＥメッセージの詳細は、非特許文献３に記載されている。当該メッセージにより、ｅＮＢ２００は、ＭＭＥ１００に、ｅＮＢ２００の使用可能であるすべての周波数の情報を含む情報要素ＥＮＢ  Ｓｕｐｐｏｒｔｉｎｇ  Ｆｒｅｑｕｅｎｃｙ  Ｌｉｓｔを通知する。これらの情報の詳細は後述する。
【００３３】
次に、ＭＭＥ１００は、受信した上記Ｓ１ＡＰメッセージのＥＮＢ  Ｓｕｐｐｏｒｔｉｎｇ  Ｆｒｅｑｕｅｎｃｙ  Ｌｉｓｔを参照し、ｅＮＢ２００とｅＮＢ２１０はＦ０、ｅＮＢ２２０はＦ１を使用可能であることを、記憶部１０３の中のテーブル１０３−１に記憶する（Ｓ１３１）。前述のとおり、ここでは、ｅＮＢ２００、２１０は、周波数Ｆ０に対応し、ｅＮＢ２２０は、周波数Ｆ１に対応しているという情報が、ＭＭＥ１００の記憶部１０３に格納されることになる（図４参照）。この動作が、基地局情報取得部に相当する。
【００３４】
ここで、前述の情報要素ｅＮＢ  ＩｄｅｎｔｉｔｙとＥＮＢ  Ｓｕｐｐｏｒｔｉｎｇ  Ｆｒｅｑｕｅｎｃｙ  Ｌｉｓｔについて図８から図１０を参照して説明する。
【００３５】
図８は、Ｓ１ＡＰ：  Ｓ１  ＳＥＴＵＰ ＲＥＱＵＥＳＴメッセージの情報要素（Ｉｎｆｏｒｍａｔｉｏｎ  Ｅｌｅｍｅｎｔ、以下「ＩＥ」とも記す）の一例を示した図である。また、図９はＳ１ＡＰ：  ＥＮＢ  ＣＯＮＦＩＧＵＲＡＴＩＯＮ  ＵＰＤＡＴＥメッセージのＩＥの一例を示した図である。両メッセージに含まれる、ＥＮＢ  Ｓｕｐｐｏｒｔｉｎｇ  Ｆｒｅｑｕｅｎｃｙ  Ｌｉｓｔについて、以下に詳述する。
【００３６】
図１０は、図８、図９においてＥＮＢ  Ｓｕｐｐｏｒｔｉｎｇ  Ｆｒｅｑｕｅｎｃｙ  Ｌｉｓｔの詳細を示す図である。図１０の例では、ＥＮＢ  Ｓｕｐｐｏｒｔｉｎｇ  Ｆｒｅｑｕｅｎｃｙ  Ｌｉｓｔには、ｅＮＢが使用可能であるすべての周波数のＥ−ＵＴＲＡＮ  Ａｂｓｏｌｕｔｅ  Ｒａｄｉｏ―Ｆｒｅｑｕｅｎｃｙ  Ｃｈａｎｎｅｌ  Ｎｕｍｂｅｒ（以下、「ＥＡＲＦＣＮ」）が設定されている（図１０の上段のテーブルの最下行参照）。
【００３７】
再度、図７を参照して、本実施形態においてページングが発生した際の動作フローについて説明する。ＭＴＣ端末であるＵＥ３００は起動時にＭＭＥ１００へ接続を試みる（図７のＳ１３２）。この接続手続きは、例えば、非特許文献５の１５０〜１５１頁「１８  ＵＥ  ｃａｐａｂｉｌｉｔｉｅｓ」参照。ＭＭＥ１００は、前記Ｓ１３２にてＵＥ３００から取得したＵＥ  Ｒａｄｉｏ  ＣａｐａｂｉｌｉｔｙというＵＥ３００の能力が記された情報要素を参照し、ＵＥ３００がＣａｔｅｇｏｒｙ  ０に分類されること（これはＵＥ３００がＭＴＣ端末であることを意味する）と、ＵＥ３００が対応している周波数がＦ０であることを記憶する（Ｓ１３３）。ここでは、ＵＥ３００は、Ｃａｔｅｇｏｒｙ  ０に分類される端末であり、その対応周波数がＦ０であるという情報が、ＭＭＥ１００の記憶部１０３に格納されることになる（図５参照）。なお、ＵＥ  Ｒａｄｉｏ  Ｃａｐａｂｉｌｉｔｙについては、３ＧＰＰ  ＴＳ  ３６．３０６  ｖｅｒｓｉｏｎ １２．３．０に記載されている（特に、「４．１  ｕｅ−Ｃａｔｅｇｏｒｙ」、「４．３．５  ＲＦ  ｐａｒａｍｅｔｅｒｓ」参照）。
【００３８】
その後、ＭＭＥ１００は、３ＧＰＰ  ＴＳ２３．６８２ ｖ１３．０．０で定義されたＭＴＣ−ＩＷＦ（ＭＴＣ−ＩｎｔｅｒＷｏｒｋｉｎｇＦｕｎｃｔｉｏｎの略。ここでは図示しない）からＵＥ３００への着信要求を受信する（Ｓ１３４）。なお、着信要求のあったＵＥがＵＥ３００であるか否かは、図５に示す端末情報を格納したテーブル１０３−ＵＥを参照して、判定することができる。
【００３９】
前記着信要求を受けたＭＭＥ１００は、ＵＥの位置登録情報を参照し、ＵＥ３００のＴＡＩ  Ｌｉｓｔに含まれるＴＡＩを割り当てられたセルを有するｅＮＢを特定する。さらに、ＭＭＥ１００は、テーブル１０３−１を参照して、前記特定したｅＮＢの中に、ＵＥ３００が対応している周波数Ｆ０を使用可能であるｅＮＢがあるかどうかを確認する。ここではＭＭＥ１００はｅＮＢ２００とｅＮＢ２１０が該当するｅＮＢであることを特定し、ｅＮＢ２００とｅＮＢ２１０にページングメッセージを送信することを決定する（Ｓ１３５）。
【００４０】
そしてＭＭＥ１００は、ｅＮＢ２００とｅＮＢ２１０にページングメッセージを送信する（Ｓ１３６）。Ｓ１ＡＰ：  ＰＡＧＩＮＧメッセージの詳細は、非特許文献３に記載されている。
【００４１】
次に、ｅＮＢ２００とｅＮＢ２１０は、使用可能である周波数の中から現在使用している周波数で運用しているセルに対してＲＲＣ  Ｐａｇｉｎｇメッセージを送信する。本実施形態においては、ｅＮＢ２００はセル２００−１、２００−２、２００−３に、ｅＮＢ２１０はセル２１０−１、セル２１０−２、セル２１０−３にページングメッセージを送信する（Ｓ１３７）。
【００４２】
以上のように、第１の実施形態にかかるＭＭＥ１００は、ページングメッセージを送信するｅＮＢを、ページングメッセージの送信先となるＵＥのＴＡＩ  Ｌｉｓｔに含まれるＴＡＩを割り当てられたセルを有するｅＮＢの中から、ｅＮＢが使用可能である周波数に基づいてページング先を選択する（つまり、ＵＥの対応周波数とマッチしないｅＮＢをページング先から除外する）。このため、ページングメッセージの送信先となるＵＥのＴＡＩ  Ｌｉｓｔに含まれるＴＡＩを割り当てられたセルを有する全てのｅＮＢにページングメッセージを送信する場合に比べて、ページングメッセージの数をはるかに削減することができる。これによりセンサーと一体化されて至る所に設定される可能性のあるＭＴＣ端末へのページングメッセージがＭＭＥの処理負荷及びＳ１インターフェースの通信負荷とｅＮＢの処理負荷及びＵｕインターフェースの通信負荷を増大させずに済み、通常の利用者の便益を損なうことが避けられる。
【００４３】
［第２の実施形態］
続いて、本発明の第１の実施形態にセル単位でのページング先選択機能を追加した第２の実施形態について図面を参照して詳細に説明する。全体的な構成は第１の実施形態と同様であるので、以下その相違点を中心に説明する。図１１は、本発明の第２の実施形態の基地局が構成するセルを説明するための図である。本実施形態では、ｅＮＢ２００が構成するセルのうちセル２００−１は周波数Ｆ０、セル２００−２、２００−３は周波数Ｆ１で運用されているものとする。同様に、ｅＮＢ２１０が構成するセルのうちセル２１０−１は周波数Ｆ０、セル２１０−２、２１０−３は周波数Ｆ１、ｅＮＢ２２０が構成するセルのうちセル２２０−１は周波数Ｆ０、セル２２０−２、２２０−３は周波数Ｆ１で運用されているものとする。
【００４４】
図１２は、本発明の第２の実施形態のＭＭＥ１００にて保持される基地局情報の一例である。図１２を参照すると、ｅＮＢ２００〜２２０が構成するセルについて、それぞれ周波数情報を記憶可能となっている。
【００４５】
続いて、本実施形態の動作について図面を参照して詳細に説明する。図１３、図１４は、本発明の第２の実施形態の動作を示すシーケンス図である。以下、両図を参照してＵＥ３００、ｅＮＢ２００及びＭＭＥ１００の動作を説明する。
【００４６】
図１３におけるＳ４１０は、図６のＳ１１０に対応し、Ｓ４２０は図６のＳ１２０に対応する。図１５は、本実施形態のｅＮＢからＭＭＥに送信されるＳ１ＡＰ：  Ｓ１  ＳＥＴＵＰ  ＲＥＱＵＥＳＴメッセージ又はＳ１ＡＰ：  ＥＮＢ  ＣＯＮＦＩＧＵＲＡＴＩＯＮ  ＵＰＤＡＴＥメッセージに含まれる情報要素ＥＮＢ  Ｓｕｐｐｏｒｔｉｎｇ  Ｆｒｅｑｕｅｎｃｙ  Ｌｉｓｔを説明するための図である。図１５を参照すると、図１０に示した第１の実施形態の情報要素ＥＮＢ  Ｓｕｐｐｏｒｔｉｎｇ  Ｆｒｅｑｕｅｎｃｙ  Ｌｉｓｔに加えて、セルの識別子としてＥ−ＵＴＲＡＮ  ＣＧＩ（Ｃｅｌｌ  Ｇｌｏｂａｌ  ＩＤ）が含まれている（図１５の上段のテーブルの最下行参照）。
【００４７】
次に、ＭＭＥ１００は、受信した上記Ｓ１ＡＰメッセージのＥＮＢ  Ｓｕｐｐｏｒｔｉｎｇ  Ｆｒｅｑｕｅｎｃｙ  Ｌｉｓｔを参照し、ｅＮＢ２００が構成するセルのうちセル２００−１は周波数Ｆ０、セル２００−２、２００−３は周波数Ｆ１、ｅＮＢ２１０が構成するセルのうちセル２１０−１は周波数Ｆ０、セル２１０−２、２１０−３は周波数Ｆ１、ｅＮＢ２２０が構成するセルのうちセル２２０−１は周波数Ｆ０、セル２２０−２、２２０−３は周波数Ｆ１を使用していることを、記憶部１０３の中のテーブル１０３−２に記憶する（Ｓ４３１）。
【００４８】
次に、図１４を参照して、引き続き動作フローを説明する。図１４のＳ４３２からＳ４３４までは図７のＳ１３２からＳ１３４までと同じである。Ｓ４３４において着信要求を受けたＭＭＥ１００は、ＵＥの位置登録情報を参照し、ＵＥ３００のＴＡＩ  Ｌｉｓｔに含まれるＴＡＩを割り当てられたセルを有するｅＮＢを特定する。さらに、ＭＭＥ１００は、図１２のテーブル１０３−２を参照して、前記特定したｅＮＢの中に、ＵＥ３００が対応している周波数Ｆ０を使用可能であるセルを持つｅＮＢがあるかどうかを確認する。ここではＭＭＥ１００はｅＮＢ２００〜２２０のそれぞれセル２００−１、２１０−１、２２０−１が該当するセルであることを特定し、ｅＮＢ２００、２１０、２２０に対し、ページングを行うセルを特定したページングメッセージを送信することを決定する（Ｓ４３５）。
【００４９】
そしてＭＭＥ１００は、ｅＮＢ２００、２１０、２２０にページングメッセージを送信する（Ｓ４３６）。Ｓ１ＡＰ：  ＰＡＧＩＮＧメッセージの詳細は、非特許文献３に記載されている。図１６はＳ４３６で送信されるＳ１ＡＰ：  ＰＡＧＩＮＧメッセージの一例を示す図である。図１６を参照すると、Ｓ１ＡＰ：  ＰＡＧＩＮＧメッセージを受信したｅＮＢがページングメッセージを送信すべきセルを特定できるように、情報要素ＵＥ  Ｓｕｐｐｏｒｔｉｎｇ  Ｆｒｅｑｕｅｎｃｙ  Ｌｉｓｔが追加されている。
【００５０】
図１７は、情報要素ＵＥ  Ｓｕｐｐｏｒｔｉｎｇ  Ｆｒｅｑｕｅｎｃｙ  Ｌｉｓｔの詳細を示す図である。図１７の例では、ＵＥ  Ｓｕｐｐｏｒｔｉｎｇ  Ｆｒｅｑｕｅｎｃｙ  Ｌｉｓｔには、ＵＥが使用可能であるすべての周波数のＥＡＲＦＣＮのほか、Ｅ−ＵＴＲＡＮ  ＣＧＩが設定されている（図１７の上段のテーブルの最下行参照）。ｅＮＢ２００、２１０、２２０は、このＥ−ＵＴＲＡＮ  ＣＧＩを参照してページングメッセージを送信するセルを特定する。図１８は、本発明の第２の実施形態と非特許文献３との差分を説明するための図である。要するに、図１４のＳ４３６の処理は非特許文献３の「８．５．２  Ｓｕｃｃｅｓｓｆｕｌ  Ｏｐｅｒａｔｉｏｎ」に、図１８の下線を付けた太文字の斜字体の記載（ｅＮＢは、ページングメッセージに情報要素ＵＥ  Ｓｕｐｐｏｒｔｉｎｇ  Ｆｒｅｑｕｅｎｃｙ  Ｌｉｓｔを検出した場合、当該周波数を用いるセルを（ページングの対象とする））を追加する内容にて実現可能である。
【００５１】
次に、ｅＮＢ２００〜２２０は、それぞれ受信したＳ１ＡＰ：  ＰＡＧＩＮＧメッセージのＵＥ  Ｓｕｐｐｏｒｔｉｎｇ  Ｆｒｅｑｕｅｎｃｙ  Ｌｉｓｔを参照し、ページングメッセージを送信すべきセルとしてセル２００−１、２１０−１、２２０−１を特定する（Ｓ４３７）。そしてｅＮＢ２００、ｅＮＢ２１０、ｅＮＢ２２０はそれぞれＲＲＣ：  Ｐａｇｉｎｇメッセージをセル２００−１、２１０−１、２２０−１に送信する（Ｓ４３８）。
【００５２】
以上説明したように、本実施形態では、ページングの範囲をｅＮＢ単位ではなくセルの単位で特定できるようになる。これにより、本実施形態は、第１の実施形態よりも、ｅＮＢの処理負荷とＵｕインターフェースの通信負荷を一層低減することができる。具体的には、第１の実施形態で提案した手法を第２の実施形態の構成に適用した場合、ｅＮＢ２００、ｅＮＢ２１０及びｅＮＢ２２０は、周波数Ｆ０とＦ１を使用可能であり尚且つ使用中である。このため、ＵＥ３００以外のＭＴＣ端末が対応している周波数で構成されているセル２００−２、セル２００−３、セル２１０−２、セル２１０−３、セル２２０−２、セル２２０−３に対してもページングメッセージを送信してしまう。このような不要なページングメッセージの送信を更に削減できる点が第２の実施形態の効果である。
【００５３】
［第３の実施形態］
続いて、基地局情報として、周波数ではなく、周波数を特定可能な情報を記憶し、この値に基づいてページング先を選択するようにした第３の実施形態について図面を参照して詳細に説明する。全体的な構成は第１の実施形態と同様であるので、以下その相違点を中心に説明する。本実施形態では、周波数Ｆ０が、３ＧＰＰ  ＴＳ３６．１０１  ｖ１２．６．０のＴａｂｌｅ  ５．５−１のＥ−ＵＴＲＡ  Ｏｐｅｒａｔｉｎｇ  Ｂａｎｄ  １、周波数Ｆ１がＥ−ＵＴＲＡ  Ｏｐｅｒａｔｉｎｇ  Ｂａｎｄ  ５に属しているとする。
【００５４】
図１９は、本発明の第３の実施形態のＭＭＥ１００にて保持される基地局情報の一例である。図１９を参照すると、ｅＮＢ２００〜２２０について、それぞれＥ−ＵＴＲＡ  Ｏｐｅｒａｔｉｎｇ  Ｂａｎｄを記憶可能となっている。
【００５５】
続いて、本実施形態の動作について図面を参照して詳細に説明する。図２０、図２１は、本発明の第３の実施形態の動作を示すシーケンス図である。以下、両図を参照してＵＥ３００、ｅＮＢ２００及びＭＭＥ１００の動作を説明する。
【００５６】
図２０におけるＳ５１０は、図６のＳ１１０、Ｓ５２０は図６のＳ１２０と基本的には一致する。異なるのは、図２２と図２３に示す通り、Ｓ１ＡＰ：  Ｓ１  ＳＥＴＵＰ  ＲＥＱＵＥＳＴメッセージとＳ１ＡＰ：  ＥＮＢ  ＣＯＮＦＩＧＵＲＡＴＩＯＮ  ＵＰＤＡＴＥメッセージに、図２４に示すＥＮＢ  Ｓｕｐｐｏｒｔｉｎｇ  Ｅ−ＵＴＲＡ  Ｏｐｅｒａｔｉｎｇ  Ｂａｎｄ  Ｉｎｄｉｃａｔｏｒ  Ｌｉｓｔという情報要素が含まれる点である。ＥＮＢ  Ｓｕｐｐｏｒｔｉｎｇ  Ｅ−ＵＴＲＡ  Ｏｐｅｒａｔｉｎｇ  Ｂａｎｄ  Ｉｎｄｉｃａｔｏｒ  Ｌｉｓｔには、３ＧＰＰ  ＴＳ３６．１０１  ｖ１２．６．０のＴａｂｌｅ  ５．５−１のＥ−ＵＴＲＡ  Ｏｐｅｒａｔｉｎｇ  Ｂａｎｄの値のうち、ｅＮＢが使用可能な値がリスト形式で１つ或いは複数格納される（図２４の上段のテーブル参照）。
【００５７】
次に、ＭＭＥ１００は、受信した上記Ｓ１ＡＰメッセージのＥＮＢ  Ｓｕｐｐｏｒｔｉｎｇ  Ｅ−ＵＴＲＡ  Ｏｐｅｒａｔｉｎｇ  Ｂａｎｄ  Ｉｎｄｉｃａｔｏｒ  Ｌｉｓｔを参照し、ｅＮＢ２００とｅＮＢ２１０はＥ−ＵＴＲＡ  Ｏｐｅｒａｔｉｎｇ  Ｂａｎｄ  １、ｅＮＢ２２０はＥ−ＵＴＲＡ  Ｏｐｅｒａｔｉｎｇ  Ｂａｎｄ  ５を使用可能であることを、記憶部１０３の中のテーブル１０３−３に記憶する（Ｓ５３１）。
【００５８】
次に、図２１を参照して、引き続き動作フローを説明する。図２１のＳ５３２からＳ５３４までは、Ｓ５３２のＵＥ接続手順の結果を受けて、Ｓ５３３においてＭＭＥ１００が、ＵＥ３００がＥ−ＵＴＲＡ  Ｏｐｅｒａｔｉｎｇ  Ｂａｎｄ  １を使用していることを記憶する点以外、図７のＳ１３２からＳ１３４までと同じである。Ｓ５３４において着信要求を受けたＭＭＥ１００は、ＵＥの位置登録情報を参照し、ＵＥ３００のＴＡＩ  Ｌｉｓｔに含まれるＴＡＩを割り当てられたセルを有するｅＮＢを特定する。さらに、ＭＭＥ１００は、図１９のテーブル１０３−３を参照して、前記特定したｅＮＢの中に、ＵＥ３００が対応しているＥ−ＵＴＲＡ  Ｏｐｅｒａｔｉｎｇ  Ｂａｎｄを使用可能なｅＮＢがあるかどうかを確認する。ここではＭＭＥ１００は、図１９のテーブル１０３−３を参照して、ｅＮＢ２００〜２２０のうち、Ｅ−ＵＴＲＡ  Ｏｐｅｒａｔｉｎｇ  Ｂａｎｄ  １を使用可能であるｅＮＢ２００、２１０に対し、ページングメッセージを送信することを決定する（Ｓ５３５）。
【００５９】
上記図２１のＳ５３５の処理は、非特許文献４の「５．３．４．３  Ｎｅｔｗｏｒｋ  Ｔｒｉｇｇｅｒｅｄ  Ｓｅｒｖｉｃｅ  Ｒｅｑｕｅｓｔ」及び非特許文献５の「１９．２．２  Ｓ１  Ｉｎｔｅｒｆａｃｅ  Ｓｉｇｎａｌｌｉｎｇ  Ｐｒｏｃｅｄｕｒｅｓ」に、図２５〜２７の下線を付けた太文字の斜字体の記載を追加する内容にて実現可能である。なお、図２５、２６は、非特許文献４の「５．３．４．３  Ｎｅｔｗｏｒｋ  Ｔｒｉｇｇｅｒｅｄ  Ｓｅｒｖｉｃｅ  Ｒｅｑｕｅｓｔ」の３ａの項（２箇所）に、ＭＭＥにおけるページングのポリシー（Ｓｔｒａｔｅｇｙ）として、ｅＮｏｄｅＢによって報告されたＯｐｅｒａｔｉｎｇ  Ｂａｎｄ  Ｉｎｄｉｃａｔｏｒが示すＭＴＣ端末がサポートするＯｐｅｒａｔｉｎｇ  Ｂａｎｄによりページング先のｅＮｏｄｅＢを選択できる点を追加したものである。図２７は、非特許文献５の「１９．２．２  Ｓ１  Ｉｎｔｅｒｆａｃｅ  Ｓｉｇｎａｌｌｉｎｇ  Ｐｒｏｃｅｄｕｒｅｓ」の「１９．２．２．１  Ｐａｇｉｎｇ  ｐｒｏｃｅｄｕｒｅ」項に同様の内容を追加したものである。
【００６０】
そしてＭＭＥ１００は、ｅＮＢ２００、２１０にページングメッセージを送信する（Ｓ５３６）。Ｓ１ＡＰ：  ＰＡＧＩＮＧメッセージの詳細は、非特許文献３に記載されている。図２８はＳ５３６で送信されるＳ１ＡＰ：  ＰＡＧＩＮＧメッセージの一例を示す図である。図２８を参照すると、Ｓ１ＡＰ：  ＰＡＧＩＮＧメッセージに、ＵＥ３００がＥ−ＵＴＲＡ  Ｏｐｅｒａｔｉｎｇ  Ｂａｎｄ  １に対応していることを設定するための情報要素ＵＥ  Ｓｕｐｐｏｒｔｉｎｇ  Ｅ−ＵＴＲＡ  Ｏｐｅｒａｔｉｎｇ  Ｂａｎｄ  Ｉｎｄｉｃａｔｏｒ  Ｌｉｓｔが追加されている。
【００６１】
図２９は、情報要素ＵＥ  Ｓｕｐｐｏｒｔｉｎｇ  Ｅ−ＵＴＲＡ  Ｏｐｅｒａｔｉｎｇ  Ｂａｎｄ  Ｉｎｄｉｃａｔｏｒ  Ｌｉｓｔの詳細を示す図である。図２９の例では、ＵＥ  Ｓｕｐｐｏｒｔｉｎｇ  Ｅ−ＵＴＲＡ  Ｏｐｅｒａｔｉｎｇ  Ｂａｎｄ  Ｉｎｄｉｃａｔｏｒ  Ｌｉｓｔは、図２４と同様に、３ＧＰＰ  ＴＳ３６．１０１  ｖ１２．６．０のＴａｂｌｅ  ５．５−１のＥ−ＵＴＲＡ  Ｏｐｅｒａｔｉｎｇ  Ｂａｎｄの値のうち、ＵＥが使用可能な値がリスト形式で１つ或いは複数格納される。
【００６２】
次に、ｅＮＢ２００、２１０は、それぞれ受信したＳ１ＡＰ：  ＰＡＧＩＮＧメッセージのＵＥ  Ｓｕｐｐｏｒｔｉｎｇ  Ｅ−ＵＴＲＡ  Ｏｐｅｒａｔｉｎｇ  Ｂａｎｄ  Ｉｎｄｉｃａｔｏｒ  Ｌｉｓｔを参照し、現在使用している周波数のうちＥ−ＵＴＲＡ  Ｏｐｅｒａｔｉｎｇ  Ｂａｎｄ  １に含まれる周波数で構成しているセルに対してＲＲＣ  Ｐａｇｉｎｇメッセージを送信する。本実施形態においては、ｅＮＢ２００はセル２００−１、２００−２、２００−３に、ｅＮＢ２１０はセル２１０−１、セル２１０−２、セル２１０−３にページングメッセージを送信する（Ｓ５３７）。
【００６３】
以上説明したように、本実施形態では周波数とは異なるＥ−ＵＴＲＡ  Ｏｐｅｒａｔｉｎｇ  Ｂａｎｄ  Ｉｎｄｉｃａｔｏｒという情報要素を使用するが、第１の実施形態と同等の効果を得ることができる。なお、上記第３の実施形態と第２の実施形態とを組み合わせて、Ｅ−ＵＴＲＡ  Ｏｐｅｒａｔｉｎｇ  Ｂａｎｄ  Ｉｎｄｉｃａｔｏｒを用いてセル単位のページングを指示することも可能である。
【００６４】
［第４の実施形態］
続いて、基地局情報として、周波数ではなく、基地局の通信方式等を示す情報を記憶し、この情報に基づいてページング先を選択するようにした第４の実施形態について図面を参照して詳細に説明する。全体的な構成は第１の実施形態と同様であるので、以下その相違点を中心に説明する。本実施形態では、基地局２００、２１０のＤｕｐｌｅｘ  ｍｏｄｅがＨａｌｆ−Ｄｕｐｌｅｘ  Ｆｒｅｑｕｅｎｃｙ  Ｄｉｖｉｓｉｏｎ  Ｄｕｐｌｅｘ（以下、ＨＤ−ＦＤＤ）、周波数幅が１．４ＭＨｚ、ＭＩＭＯアンテナ構成が１×１であり、ｅＮＢ２２０のＤｕｐｌｅｘ  ｍｏｄｅがＦＤＤ、周波数幅が２０ＭＨｚ、ＭＩＭＯアンテナ構成が２×２でＵＥ３００が接続可能でないとする。また、第１、第３の実施形態と同様に、ＵＥ３００は、基地局２００、２１０に接続可能であるものとして説明する。なお、ＭＩＭＯとはＭｕｌｔｉｐｌｅ−Ｉｎｐｕｔ  ａｎｄ  Ｍｕｌｔｉｐｌｅ−Ｏｕｔｐｕｔを省略したものである。なお、上記基地局の通信方式等を示す情報要素の例はあくまで一例であり、ＭＴＣ端末であるＵＥ３００が使えるＤｕｐｌｅｘ  ｍｏｄｅや周波数幅、ＭＩＭＯ構成はこれ以外のものであってもよい。
【００６５】
図３０は、本発明の第４の実施形態のＭＭＥ１００にて保持される基地局情報の一例である。図３０を参照すると、ｅＮＢ２００〜２２０について、上述の前提のとおり、それぞれＤｕｐｌｅｘ  ｍｏｄｅ、周波数幅、ＭＩＭＯ構成を記憶可能となっている。
【００６６】
続いて、本実施形態の動作について図面を参照して詳細に説明する。図３１、図３２は、本発明の第４の実施形態の動作を示すシーケンス図である。以下、両図を参照してＵＥ３００、ｅＮＢ２００及びＭＭＥ１００の動作を説明する。
【００６７】
図３１におけるＳ６１０は、図６のＳ１１０、Ｓ６２０は図６のＳ１２０と基本的には一致する。異なるのは、図３３と図３４に示す通り、Ｓ１ＡＰ：  Ｓ１  ＳＥＴＵＰ  ＲＥＱＵＥＳＴメッセージとＳ１ＡＰ：  ＥＮＢ  ＣＯＮＦＩＧＵＲＡＴＩＯＮ  ＵＰＤＡＴＥメッセージに、図３５に示すＥＮＢ  Ｓｕｐｐｏｒｔｉｎｇ  Ｃｏｎｆｉｇｕｒａｔｉｏｎ Ｌｉｓｔという情報要素が含まれる点である。ＥＮＢ  Ｓｕｐｐｏｒｔｉｎｇ  Ｃｏｎｆｉｇｕｒａｔｉｏｎ Ｌｉｓｔには、ｅＮＢの対応しているＤｕｐｌｅｘ  ｍｏｄｅ、周波数幅、ＭＩＭＯアンテナ構成が設定される（図３５の上段のテーブル参照）。
【００６８】
次に、ＭＭＥ１００は、受信した上記Ｓ１ＡＰメッセージのＥＮＢ  Ｓｕｐｐｏｒｔｉｎｇ  Ｃｏｎｆｉｇｕｒａｔｉｏｎ  Ｌｉｓｔを参照し、ｅＮＢ２００とｅＮＢ２１０はＤｕｐｌｅｘ  ｍｏｄｅがＨＤ−ＦＤＤ、周波数幅が１．４ＭＨｚ、ＭＩＭＯアンテナ構成が１×１、ｅＮＢ２２０が対応しているＤｕｐｌｅｘ  ｍｏｄｅがＦＤＤ、周波数幅が２０ＭＨｚ、ＭＩＭＯアンテナ構成が２×２であることを記憶部１０３の中のテーブル１０３−４に記憶する（Ｓ６３１）。
【００６９】
次に、図３２を参照して、引き続き動作フローを説明する。図３２のＳ６３２からＳ６３４までは、Ｓ６３２のＵＥ接続手順の結果を受けて、Ｓ６３３においてＭＭＥ１００が、ＵＥ３００が対応しているＤｕｐｌｅｘ  ｍｏｄｅがＨＤ−ＦＤＤ、周波数幅が１．４ＭＨｚ、ＭＩＭＯアンテナ構成が１×１であることを記憶する点以外、図７のＳ１３２からＳ１３４までと同じである。Ｓ６３４において着信要求を受けたＭＭＥ１００は、ＵＥの位置登録情報を参照し、ＵＥ３００のＴＡＩ  Ｌｉｓｔに含まれるＴＡＩを割り当てられたセルを有するｅＮＢを特定する。さらに、ＭＭＥ１００は、図３０のテーブル１０３−４を参照して、前記特定したｅＮＢの中に、ＵＥ３００が対応している通信方式を採用する基地局、即ち、前記したＤｕｐｌｅｘ  ｍｏｄｅ、周波数幅、ＭＩＭＯアンテナ構成を使用可能なｅＮＢがあるかどうかを確認する。ここではＭＭＥ１００は、図３０のテーブル１０３−４を参照して、ｅＮＢ２００〜２２０のうち、ＵＥ３００が対応しているＤｕｐｌｅｘ  ｍｏｄｅ、周波数幅、ＭＩＭＯ構成を使用可能であるｅＮＢ２００、２１０に対し、ページングメッセージを送信することを決定する（Ｓ６３５）。
【００７０】
そしてＭＭＥ１００は、ｅＮＢ２００、２１０にページングメッセージを送信する（Ｓ６３６）。Ｓ１ＡＰ：  ＰＡＧＩＮＧメッセージの詳細は、非特許文献３に記載されている。図３６はＳ６３６で送信されるＳ１ＡＰ：  ＰＡＧＩＮＧメッセージの一例を示す図である。図３６を参照すると、Ｓ１ＡＰ：  ＰＡＧＩＮＧメッセージに、ＵＥが対応しているＤｕｐｌｅｘ  ｍｏｄｅ、周波数幅、ＭＩＭＯ構成であることを設定するための情報要素ＵＥ  Ｓｕｐｐｏｒｔｉｎｇ  Ｃｏｎｆｉｇｕｒａｔｉｏｎ  Ｌｉｓｔが追加されている。
【００７１】
図３７は、情報要素ＵＥ  Ｓｕｐｐｏｒｔｉｎｇ  Ｃｏｎｆｉｇｕｒａｔｉｏｎ  Ｌｉｓｔの詳細を示す図である。図３７の例では、ＵＥ  Ｓｕｐｐｏｒｔｉｎｇ  Ｃｏｎｆｉｇｕｒａｔｉｏｎ  Ｌｉｓｔは、図３５と同様に、ＵＥ３００の対応しているＤｕｐｌｅｘ  ｍｏｄｅ、周波数幅、ＭＩＭＯアンテナ構成が設定される。
【００７２】
次に、ｅＮＢ２００、２１０は、それぞれ受信したＳ１ＡＰ：  ＰＡＧＩＮＧメッセージのＵＥ  Ｓｕｐｐｏｒｔｉｎｇ  Ｃｏｎｆｉｇｕｒａｔｉｏｎ  Ｌｉｓｔを参照し、Ｄｕｐｌｅｘ  ｍｏｄｅがＨＤ−ＦＤＤ、周波数幅が１．４ＭＨｚ、ＭＩＭＯアンテナ構成が１×１であるセルに対してＲＲＣ  Ｐａｇｉｎｇメッセージを送信する。本実施形態においては、ｅＮＢ２００はセル２００−１、２００−２、２００−３に、ｅＮＢ２１０はセル２１０−１、セル２１０−２、セル２１０−３にページングメッセージを送信する（Ｓ６３７）。
【００７３】
以上説明したように、本実施形態では周波数とは異なり、Ｄｕｐｌｅｘ  ｍｏｄｅ、周波数幅、ＭＩＭＯ構成等の基地局の通信方式等を示す情報要素を使用するが、第１の実施形態と同等の効果を得ることができる。なお、上記第４の実施形態と第２の実施形態とを組み合わせて、Ｄｕｐｌｅｘ  ｍｏｄｅ、周波数幅、ＭＩＭＯ構成を用いてセル単位のページングを指示することも可能である。
【００７４】
［第５の実施形態］
続いて、基地局情報として、周波数ではなく、基地局の通信機能の一変形形態として運用形態を記憶し、この値に基づいてページング先を選択するようにした第５の実施形態について図面を参照して詳細に説明する。全体的な構成は第１の実施形態と同様であるので、以下その相違点を中心に説明する。本実施形態では、基地局２００、２１０がＭＴＣ端末とのみ通信する運用形態を取っておりｅＮＢ２２０はＭＴＣ端末とのみ通信する運用形態を取ることができず、通常の端末と通信を実施する運用形態を取っているとする。また、図示していないが、ＭＴＣ端末とも通常の端末とも通信を実施する運用形態の基地局も有り得る。ＭＴＣ端末とのみ通信する運用形態の基地局とＭＴＣ端末とも通常の端末とも通信を実施する運用形態の基地局は、例えば、非特許文献７で定義されているｃａｔｅｇｏｒｙ０Ａｌｌｏｗｅｄという情報要素をＳｙｓｔｅｍＩｎｆｏｒｍａｔｉｏｎＢｌｏｃｋＴｙｐｅ１に含めて報知してもよいとする。また、第１、第３の実施形態と同様に、ＵＥ３００は、基地局２００、２１０に接続可能であるものとして説明する。
【００７５】
図３８は、本発明の第５の実施形態のＭＭＥ１００にて保持される基地局情報の一例である。図３８を参照すると、ｅＮＢ２００〜２２０について、上述の前提のとおり、それぞれＭＴＣ端末とのみ通信する運用形態を取っているか否かを記憶可能となっている。なお、図３８の例では、「ＭＴＣ  Ｏｎｌｙ」、「Ｎｏｒｍａｌ  Ｏｎｌｙ」としているが、これらはコードに置き換えてもよいし（例えば、ＭＴＣ  Ｏｎｌｙ＝０、Ｎｏｒｍａｌ  Ｏｎｌｙ＝１）、ＵＥ  ｃａｔｅｇｏｒｙ  ０  ａｌｌｏｗｅｄ、ＵＥ  ｃａｔｅｇｏｒｙ  ０  ｎｏｔ  ａｌｌｏｗｅｄ、その他の表現を用いてもよいことはもちろんである。
【００７６】
続いて、本実施形態の動作について図面を参照して詳細に説明する。図３９、図４０は、本発明の第５の実施形態の動作を示すシーケンス図である。以下、両図を参照してＵＥ３００、ｅＮＢ２００及びＭＭＥ１００の動作を説明する。
【００７７】
図３９におけるＳ７１０は、図６のＳ１１０、Ｓ７２０は図６のＳ１２０と基本的には一致する。異なるのは、図４１と図４２に示す通り、Ｓ１ＡＰ：  Ｓ１  ＳＥＴＵＰ  ＲＥＱＵＥＳＴメッセージとＳ１ＡＰ：  ＥＮＢ  ＣＯＮＦＩＧＵＲＡＴＩＯＮ  ＵＰＤＡＴＥメッセージに、図４３に示すＥＮＢ  Ｓｕｐｐｒｏｔｉｎｇ  Ｃａｐａｂｉｌｉｔｙ  Ｌｉｓｔという情報要素が含まれる点である。ＥＮＢ  Ｓｕｐｐｒｏｔｉｎｇ  Ｃａｐａｂｉｌｉｔｙ  Ｌｉｓｔには、実施可能である運用形態（Ｏｐｅｒａｔｉｏｎｇ  Ｍｏｄｅ）がリスト形式で設定される（図４３の上段のテーブル参照）。
【００７８】
次に、ＭＭＥ１００は、受信した上記Ｓ１ＡＰメッセージのＥＮＢ  Ｓｕｐｐｒｏｔｉｎｇ  Ｃａｐａｂｉｌｉｔｙ  Ｌｉｓｔを参照し、ｅＮＢ２００とｅＮＢ２１０はＭＴＣ端末専用の基地局として動作する運用形態を取っており、ｅＮＢ２２０が、ＭＴＣ端末を含む一般の基地局として動作する運用形態を取っていることを記憶部１０３の中のテーブル１０３−５に記憶する（Ｓ７３１）。
【００７９】
次に、図４０を参照して、引き続き動作フローを説明する。図４０のＳ７３２からＳ７３４までは、Ｓ７３２のＵＥ接続手順の結果を受けて、Ｓ７３３においてＭＭＥ１００が、ＵＥ３００がＭＴＣであることを記憶する点以外、図７のＳ１３２からＳ１３４までと同じである。Ｓ７３４において着信要求を受けたＭＭＥ１００は、ＵＥの位置登録情報を参照し、ＵＥ３００のＴＡＩ  Ｌｉｓｔに含まれるＴＡＩを割り当てられたセルを有するｅＮＢを特定する。さらに、ＭＭＥ１００は、図３８のテーブル１０３−５を参照して、前記特定したｅＮＢの中に、ＵＥ３００が対応している運用形態のみを採るｅＮＢがあるかどうかを確認する。ここではＭＭＥ１００は、図３８のテーブル１０３−５を参照して、ｅＮＢ２００〜２２０のうち、ＵＥ３００が対応している運用形態のみで動作するｅＮＢ２００、２１０に対し、ページングメッセージを送信することを決定する（Ｓ７３５）。このように、ｅＮＢ２００〜２２０のうちＵＥ３００が対応している運用形態のみで動作するｅＮＢ２００、２１０を選択する理由は、ｅＮＢ２２０をページング対象から外し、関連する負荷を下げるためである。
【００８０】
そしてＭＭＥ１００は、ｅＮＢ２００、２１０にページングメッセージを送信する（Ｓ７３６）。Ｓ１ＡＰ：  ＰＡＧＩＮＧメッセージの詳細は、非特許文献３に記載されている。図４４はＳ７３６で送信されるＳ１ＡＰ：  ＰＡＧＩＮＧメッセージの一例を示す図である。図４４を参照すると、Ｓ１ＡＰ：  ＰＡＧＩＮＧメッセージに、ＵＥの運用形態を設定するための情報要素ＵＥ  Ｓｕｐｐｒｏｔｉｎｇ  Ｃａｐａｂｉｌｉｔｙ  Ｌｉｓｔが追加されている。
【００８１】
図４５は、情報要素ＵＥ  Ｓｕｐｐｒｏｔｉｎｇ  Ｃａｐａｂｉｌｉｔｙ  Ｌｉｓｔの詳細を示す図である。図４５の例では、ＵＥ  Ｓｕｐｐｒｏｔｉｎｇ  Ｃａｐａｂｉｌｉｔｙ  Ｌｉｓｔは、図４３と同様に、ＵＥ３００の対応している運用形態（Ｏｐｅｒａｔｉｏｎｇ  Ｍｏｄｅ）が設定される。
【００８２】
以上説明したように、本実施形態では周波数とは異なり、基地局の通信機能の一変形形態として運用形態を指定する情報要素を使用するが、第１の実施形態と同等の効果を得ることができる。なお、上記第５の実施形態と第２の実施形態とを組み合わせて、運用形態を用いてセル単位のページングを指示することも可能である。
【００８３】
［第６の実施形態］
続いて、ｅＮＢからではなく、ＵＥからのＮｏｎ  Ａｃｃｅｓｓ  Ｓｔｒａｔｕｍ（以下、ＮＡＳ）メッセージからセル単位の周波数情報を集めるようにした第６の実施形態について図面を参照して詳細に説明する。全体的な構成は第２の実施形態と同様であるので、以下その相違点を中心に説明する。本実施形態においても、ｅＮＢ２００が構成するセルのうちセル２００−１は周波数Ｆ０、セル２００−２、２００−３は周波数Ｆ１で運用されているものとする。同様に、ｅＮＢ２１０が構成するセルのうちセル２１０−１は周波数Ｆ０、セル２１０−２、２１０−３は周波数Ｆ１、ｅＮＢ２２０が構成するセルのうちセル２２０−１は周波数Ｆ０、セル２２０−２、２２０−３は周波数Ｆ１で運用されているものとする。
【００８４】
続いて、本実施形態の動作について図面を参照して詳細に説明する。図４６、図４７は、本発明の第６の実施形態の動作を示すシーケンス図である。以下、両図を参照してＵＥ３００、ｅＮＢ２００及びＭＭＥ１００の動作を説明する。
【００８５】
図４６を参照すると、まず、ＵＥ３００はｅＮＢ２００のセル２００−１〜２００−３、ｅＮＢ２１０のセル２１０−１〜２１０−３、ｅＮＢ２２０のセル２２０−１〜２２０−３からの信号を受信し、それぞれのセルで使用されている周波数を特定する（Ｓ８１１）。
【００８６】
次に、ＵＥ３００はＮＡＳメッセージと呼ばれる、ＵＥ３００とＭＭＥ１００の間でｅＮＢ２００を透過的に介して送受信されるメッセージの一つであるＴＲＡＣＫＩＮＧ  ＡＲＥＡ  ＵＰＤＡＴＥ  ＲＥＱＵＥＳＴメッセージに、図１５に示すＥＮＢ  Ｓｕｐｐｏｒｔｉｎｇ  Ｆｒｅｑｕｅｎｃｙ  Ｌｉｓｔに相当する情報要素を設定して送信する（Ｓ８１２）。
【００８７】
図４８は、本実施形態において使用可能なＴＲＡＣＫＩＮＧ  ＡＲＥＡ  ＵＰＤＡＴＥ  ＲＥＱＵＥＳＴメッセージの一例を示す。図４８の例では、同図末行に下線を付した情報要素ＥＮＢ  Ｓｕｐｐｏｒｔｉｎｇ  Ｆｒｅｑｕｅｎｃｙ  Ｌｉｓｔが追加されている。なお、本実施形態では、ＴＲＡＣＫＩＮＧ  ＡＲＥＡ  ＵＰＤＡＴＥ  ＲＥＱＵＥＳＴメッセージを用いてＥＮＢ  Ｓｕｐｐｏｒｔｉｎｇ  Ｆｒｅｑｕｅｎｃｙ  Ｌｉｓｔに相当する情報要素を送信することとしているが、これ以外のＮＡＳメッセージに、同様の情報要素を追加してもよい。図４８のＥＮＢ  Ｓｕｐｐｏｒｔｉｎｇ  Ｆｒｅｑｕｅｎｃｙ  Ｌｉｓｔには、ＵＥ３００が測定したｅＮＢ２００のセル２００−１〜２００−３、ｅＮＢ２１０のセル２１０−１〜２１０−３、ｅＮＢ２２０のセル２２０−１〜２２０−３で使用されている周波数がリスト形式で設定される。
【００８８】
ＭＭＥ１００は、受信した上記ＮＡＳメッセージのＥＮＢ  Ｓｕｐｐｏｒｔｉｎｇ  Ｆｒｅｑｕｅｎｃｙ  Ｌｉｓｔを参照し、ｅＮＢ２００が構成するセルのうちセル２００−１は周波数Ｆ０、セル２００−２、２００−３は周波数Ｆ１、ｅＮＢ２１０が構成するセルのうちセル２１０−１は周波数Ｆ０、セル２１０−２、２１０−３は周波数Ｆ１、ｅＮＢ２２０が構成するセルのうちセル２２０−１は周波数Ｆ０、セル２２０−２、２２０−３は周波数Ｆ１を使用していることを、記憶部１０３の中のテーブル１０３−２に記憶する（Ｓ８１３）。
【００８９】
次に、図４７を参照して、引き続き動作フローを説明する。図４７のＳ８１４からＳ８２０までは図１４のＳ４３２からＳ４３８までと同じである。Ｓ８１６において着信要求を受けたＭＭＥ１００は、ＵＥの位置登録情報を参照し、ＵＥ３００のＴＡＩ  Ｌｉｓｔに含まれるＴＡＩを割り当てられたセルを有するｅＮＢを特定する。さらに、ＭＭＥ１００は、図１２のテーブル１０３−２を参照して、前記特定したｅＮＢの中に、ＵＥ３００が対応している周波数Ｆ０を使用可能であるセルを持つｅＮＢがあるかどうかを確認する。ここではＭＭＥ１００はｅＮＢ２００〜２２０のそれぞれセル２００−１、２１０−１、２２０−１が該当するセルであることを特定し、ｅＮＢ２００、２１０、２２０に対し、ページングを行うセルを特定したページングメッセージを送信することを決定する（Ｓ８１７）。
【００９０】
そしてＭＭＥ１００は、ｅＮＢ２００、２１０、２２０にページングメッセージを送信する（Ｓ８１８）。Ｓ１ＡＰ：  ＰＡＧＩＮＧメッセージの詳細は、非特許文献３に記載されている。ここで送信されるページングメッセージは、図１６に示したものと同様である。
【００９１】
次に、ｅＮＢ２００〜２２０は、それぞれ受信したＳ１ＡＰ：  ＰＡＧＩＮＧメッセージのＵＥ  Ｓｕｐｐｏｒｔｉｎｇ  Ｆｒｅｑｕｅｎｃｙ  Ｌｉｓｔを参照し、ページングメッセージを送信すべきセルとしてセル２００−１、２１０−１、２２０−１を特定する（Ｓ８１９）。そしてｅＮＢ２００、ｅＮＢ２１０、ｅＮＢ２２０はそれぞれＲＲＣ：  Ｐａｇｉｎｇメッセージをセル２００−１、２１０−１、２２０−１に送信する（Ｓ８２０）。
【００９２】
以上説明したように、基地局情報の収集にＳ１ＡＰメッセージを使用しない本実施形態によっても、第２の実施形態と同様の効果を得ることができる。
【００９３】
［第７の実施形態］
続いて、外部サーバを利用してｅＮＢの周波数を含むＵＥの情報を集めるようにした第７の実施形態について図面を参照して詳細に説明する。図４９は、本発明の第７の実施形態の移動通信システムの構成を示す図である。図２に示した第１の実施形態との相違点は、ＭＭＥ１００及びＵＥ３００の双方からアクセス可能な外部サーバ９００が配置され、ＵＥ３００からＭＭＥへ基地局の周波数を含む情報を送信可能となっている点である。
【００９４】
外部サーバ９００は、送受信部９０１、処理部９０２及び記憶部９０３を含む。外部サーバ９００はＵＥ３００から受信した基地局の周波数の測定結果等を受信し、管理する機能を備えている。また、外部サーバ９００は、ＭＭＥ１００からの照会に応じて、前記基地局の周波数の測定結果等に基づいて、前記ページングすべき基地局を回答する機能を備えている。
【００９５】
続いて、本実施形態の動作について図面を参照して詳細に説明する。図５０、図５１は、本発明の第７の実施形態の動作を示すシーケンス図である。以下、両図を参照してＵＥ３００、ｅＮＢ２００、ＭＭＥ１００及び外部サーバ９００の動作を説明する。
【００９６】
図５０を参照すると、まず、ＵＥ３００は無線情報の測定の一環としてｅＮＢ２００のセル２００−１〜２００−３、ｅＮＢ２１０のセル２１０−１〜２１０−３、ｅＮＢ２２０のセル２２０−１〜２２０−３からの信号を受信し、それぞれのセルで使用されている周波数を特定する（Ｓ１００１）。次に、ＵＥ３００は、外部サーバ９００に対し無線情報の測定結果を送信する（Ｓ１００２）。具体的には、ＵＥ３００が非特許文献６に記載されているＭｉｎｉｍｉｚａｔｉｏｎ  ｏｆ  Ｄｒｉｖｅ  Ｔｅｓｔ（以下、ＭＤＴ）端末として振舞う場合などがこの場合に相当し、この場合、測定結果はＵＥ３００からｅＮＢ２００、ＭＭＥ１００を介して外部サーバ９００に送信される。なお、ＵＥ３００から外部サーバ９００への測定結果の送信の形態はこれに限られず、これ以外の形態で送信してもよい。ＵＥ３００から外部サーバ９００へ送る情報には、ｅＮＢで使用されている周波数のほか、各ＵＥ３００の緯度・経度・高度のような位置情報、移動速度、操作履歴などの他の情報を含めてもよい。前記位置情報及び移動速度は、ＵＥ３００が在圏するセルを特定する情報として利用することができる。また、前記移動速度、操作履歴は、ＵＥ３００がＭＴＣ端末であるか否かを推定する情報として用いることができる。
【００９７】
次に、外部サーバ９００は、受信した測定結果をその記憶部９０３に記憶する（Ｓ１００３）。例えば、図４のテーブル１０３−１と同等のテーブルを用いて、ｅＮＢ２００とｅＮＢ２１０はＦ０、ｅＮＢ２２０はＦ１を使用可能であることが記憶される。また、外部サーバ９００が、位置情報、移動速度、操作履歴などの他の情報を受信している場合には、外部サーバ９００は、テーブルを用いて、これらの情報をＵＥ毎に記憶する。
【００９８】
次に、図５１を参照して、引き続き動作フローを説明する。図５１のＳ１００４からＳ１００６までは図７のＳ１３２からＳ１３４までと同じである。Ｓ１００６において着信要求を受けたＭＭＥ１００は、外部サーバ９００に対し、着信要求に係るＵＥを指定して、当該ＵＥ３００の周波数に対応している基地局を推定するように要求する。外部サーバ９００は、記憶部９０３に格納した情報の相関関係などから、ＭＭＥ１００に対して推定した結果を返す（Ｓ１００７）。例えば、外部サーバ９００は、ＵＥ３００が対応している周波数に基づいて、当該周波数に対応しているｅＮＢを応答する。その際に、ページング対象となる基地局をより絞り込めるのであれば、これ以外の情報を用いた推定結果をＭＭＥ１００に返してもよい。例えば、外部サーバ９００は、ＵＥ３００から収集したＵＥ３００の緯度・経度・高度のような位置情報、移動速度、操作履歴などを用いて、特定の周波数Ｆ０に対応するｅＮＢの中から、さらに特定のｅＮＢを選択してＭＭＥ１００に回答させることができる。
【００９９】
前記外部サーバ９００から回答を受け取ったＭＭＥ１００は、ＵＥの位置登録情報を参照し、ＵＥ３００のＴＡＩ  Ｌｉｓｔに含まれるＴＡＩを割り当てられたセルを有するｅＮＢを特定する。さらに、ＭＭＥ１００は、外部サーバ９００から受け取った情報に基づいて、前記特定したｅＮＢの中に、外部サーバ９００にて推定されたｅＮＢがあるかどうかを確認する。ここではＭＭＥ１００はｅＮＢ２００とｅＮＢ２１０が該当するｅＮＢであることを特定し、ｅＮＢ２００とｅＮＢ２１０にページングメッセージを送信することを決定する（Ｓ１００８）。
【０１００】
そしてＭＭＥ１００は、ｅＮＢ２００とｅＮＢ２１０にページングメッセージを送信する（Ｓ１００９）。次に、ｅＮＢ２００とｅＮＢ２１０は、使用可能である周波数の中から現在使用している周波数で運用しているセルに対してＲＲＣ  Ｐａｇｉｎｇメッセージを送信する。本実施形態においては、ｅＮＢ２００はセル２００−１、２００−２、２００−３に、ｅＮＢ２１０はセル２１０−１、セル２１０−２、セル２１０−３にページングメッセージを送信する（Ｓ１０１０）。
【０１０１】
以上のように、本発明は、外部サーバ９００を利用する形態に変形して実施することも可能である。特に、本実施形態では、外部サーバ９００の情報（例えば、ＵＥの位置情報）を用いてページングを実施すべき基地局やセルをさらに絞り込めるという優れた効果を期待できる。なお、図５１の例では、外部サーバ９００が基地局を絞り込むものとして説明したが、その一部をＭＭＥ１００側で行ってもよい。例えば、ＭＭＥ１００はＵＥの位置を管理する機能を有しているので、外部サーバ９００が周波数に基づいた基地局の候補を回答し、ＭＭＥ１００側でＵＥの位置や移動履歴に基づいたページング先の基地局の絞り込みを行ってもよい。また、第３〜第６の実施形態で説明したように、第７の実施形態において基地局の通信機能や運用形態を外部サーバ９００が収集し、ＭＭＥ１００に、これらの情報やこれらの情報に基づいた基地局等を応答する構成も採用可能である。
【０１０２】
以上、本発明の各実施形態を説明したが、本発明は、上記した実施形態に限定されるものではなく、本発明の基本的技術的思想を逸脱しない範囲で、更なる変形・置換・調整を加えることができる。例えば、各図面に示したシステム構成、各要素の構成、メッセージの表現形態は、本発明の理解を助けるための一例であり、これらの図面に示した構成に限定されるものではない。
【０１０３】
また、図１、図２、図４９等に示したコアネットワークノード（ＭＭＥ）、基地局（ｅＮＢ）、端末（ＵＥ）の各部（処理手段）は、これらの装置を構成するコンピュータに、そのハードウェア（プロセッサ、メモリ、ストレージ等）を用いて、上記した各処理を実行させるコンピュータプログラムにより実現することもできる。
【０１０４】
また、上記第１の実施形態では、ＭＭＥ１００がｅＮＢの使用可能である周波数をｅＮＢから取得するものとして説明したが、これら情報は事前にＭＭＥ１００の局データとして設定してもよい。
【０１０５】
また、上記第２の実施形態では、ｅＮＢは、ＭＭＥ１００からページングメッセージを送信すべきセルを構成する周波数の通知を受けたが、この周波数はｅＮＢの局データとして設定してもよい。例えばｅＮＢ２００が、周波数Ｆ０をＭＴＣ端末が対応している周波数として記憶し、ＭＭＥ１００から受信したＳ１ＡＰ：  ＰＡＧＩＮＧメッセージに含まれるＵＥ  Ｐａｇｉｎｇ  Ｉｄｅｎｔｉｔｙの中のＳ−ＴＭＳＩやＰａｇｉｎｇ  ＤＲＸ、ＵＥ  Ｒａｄｉｏ  Ｃａｐａｂｉｌｉｔｙ  ｆｏｒ  Ｐａｇｉｎｇなどの情報を基に、ｅＮＢ２００がＭＴＣ端末向けのページングメッセージであると判断し、ＭＴＣ端末が対応している周波数にのみページングメッセージを送信してもよい。
【０１０６】
また、本実施形態では主としてＬＴＥへの適用を想定して説明したが、本発明を適用可能な無線通信システムは、ＬＴＥに限られない。例えば、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）（登録商標）、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）（登録商標）、ＣＤＭＡ２０００、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）といった他の無線通信システムに適用可能である。
【０１０７】
また、上記した各実施形態では、ＭＭＥ、ｅＮＢ、ＵＥを備える構成を用いて説明を行ったが、その他構成のネットワークにも適用可能である。例えば、スモールセルゲートウェイ、Ｒｅｌａｙ  ｎｏｄｅとＤｏｎｎｏｒ  ｅＮＢを含むネットワークや、Ｄｕａｌ  Ｃｏｎｎｅｃｔｉｖｉｔｙという接続手段が実現されるネットワークに適用されてもよい。
【０１０８】
また、上記した第２の実施形態では、ＵＥ  Ｓｕｐｐｏｒｔｉｎｇ  Ｆｒｅｑｕｅｎｃｙ  Ｌｉｓｔの中にｅＮＢがページング対象とすべきセルの識別子であるＥＣＧＩと周波数の組をリスト形式でまとめてＰＡＧＩＮＧメッセージに設定したが、図５２のようにページング対象とすべきＥＣＧＩのみをリスト形式で設定してもよい。
【０１０９】
また、上記した第４の実施形態では、一台のｅＮＢがＬＴＥサービスを行う例を挙げて説明したが、一台のｅＮＢが３ＧやＷＬＡＮという複数の無線通信技術によって構成されるサービスエリアを同時に提供する場合にも適用可能である。この場合、ｅＮＢが同時に提供する無線通信システムの情報をＭＭＥ１００に通知し、ＭＭＥ１００がページングメッセージの送信先を決定する際に利用することができる。
【０１１０】
背景技術に記載の既存の提案（非特許文献１、２）に対する分析及び本発明の効果を以下に示す。非特許文献１は、低モビリティ端末向けにページングを最適化することを提案している。具体的には、非特許文献１では、ＭＴＣ端末があまり移動しないことをＭＴＣ端末の移動履歴から特定し、ページングメッセージを送信すべきｅＮＢを絞り込むことを提案している。しかしながら、ＭＴＣ端末は自動車のように移動する機械の一部となることもあり得る。ＭＴＣ端末を含むＬＴＥの無線通信システムで動作する端末はＣｏｎｎｅｃｔｅｄ  ｍｏｄｅとＩｄｌｅ  ｍｏｄｅの二種類の状態をとり、後者の状態にある時にはコアネットワークはＴＡＩ  Ｌｉｓｔの単位でしか位置を特定できない。そのため、Ｃｏｎｎｅｃｔｅｄ  ｍｏｄｅであった時の移動履歴からページングメッセージを送信すべきｅＮＢを絞りこんでいたとしても、そのｅＮＢにページングメッセージを送信しても失敗することになる。最終的には、ＴＡＩ  Ｌｉｓｔに含まれるＴＡＩを割り当てられたセルを有するすべてのｅＮＢにページングメッセージを送信する必要が生じる。本発明によれば、上記端末の状態に依存せず、ネットワークを流れるページングメッセージの量やＭＭＥ及びｅＮＢでページングメッセージを処理する負荷を抑制することが可能となる。
【０１１１】
非特許文献２は、ページングに関する負荷低減手法を提案している。具体的には、非特許文献２は、ＭＭＥの処理負荷及びＳ１インターフェースの通信負荷を減らす手法と、ｅＮＢの処理負荷及びｅＮＢとＭＴＣ端末の間の無線区間（以下、Ｕｕインターフェース）の通信負荷を減らす手法をそれぞれ提案している。前者ではＭＴＣ端末が直前に利用したｅＮＢにページングメッセージを送信し、ｅＮＢはＸ２インターフェースというｅＮＢ同士をつなぐインターフェースを介して適切なｅＮＢにページングメッセージを転送し、受け取ったｅＮＢがＭＴＣ端末にページングメッセージを送信する（結果的に、ＭＴＣ端末にページングメッセージを送るｅＮＢが減るという点でｅＮＢの処理負荷及びＵｕインターフェースの通信負荷も減ることになる）。後者ではＵＥ  Ｒａｄｉｏ  ＣａｐａｂｉｌｉｔｙというパラメータをｅＮＢがＭＴＣ端末から受け取ると、そこからＵＥが使用可能な周波数の情報を取り出して新たな情報要素を生成し、それをＭＭＥに送信する。そしてＭＭＥはページングメッセージにこの情報要素を含め、ＴＡＩ  Ｌｉｓｔに含まれるＴＡＩを割り当てられたセルを有する全てのｅＮＢにページングメッセージを送り、ｅＮＢは該当する周波数のセルにページングメッセージを送る。非特許文献１と同様に、前者はうまく動作しない場合が明確である。後者はｅＮＢの処理負荷及びＵｕインターフェースの負荷は減るが、ＴＡＩ  Ｌｉｓｔに含まれるＴＡＩを割り当てられたセルを有する全てのｅＮＢにページングメッセージを送るためＭＭＥの処理負荷及びＳ１インターフェースの通信負荷は減らない。マクロ基地局が半径数キロのサービスエリアを有することを考えると、その中に存在するＭＴＣ端末の数は決して少なく無く、ＭＴＣ端末へのページング処理がＭＭＥの処理負荷及びＳ１インターフェースの通信負荷を増大させ、通常の端末へのＶｏｉｃｅ  ｏｖｅｒ  ＬＴＥ（以下、ＶｏＬＴＥ）の着信などに影響を与える可能性は十分にあると考えられる。本発明は、上記非特許文献２の手法との比較においても、より効果的にネットワークを流れるページングメッセージの量やＭＭＥ及びｅＮＢでページングメッセージを処理する負荷を抑制することが可能となる。
【０１１２】
最後に、本発明の好ましい形態を要約する。
［第１の形態］
（上記第１の視点によるコアネットワークノード参照）
［第２の形態］
第１の形態のコアネットワークノードにおいて、
前記通信機能に関する情報は、前記基地局の候補の使用周波数を特定可能な情報であり、前記ページング先選択部は、前記所定の移動局が対応する周波数でページング可能な基地局又はセルを選択するコアネットワークノード。
［第３の形態］
第２の形態のコアネットワークノードにおいて、
前記基地局と授受するメッセージの情報要素から、前記基地局の候補の使用周波数を特定可能な情報を取り出して、前記基地局情報記憶部に格納する基地局情報取得部を備えるコアネットワークノード。
［第４の形態］
第１の形態のコアネットワークノードにおいて、
前記基地局と授受するメッセージの情報要素から、前記基地局の候補のセルの使用周波数を特定可能な情報を取り出して、前記基地局情報記憶部に格納する基地局情報取得部を備えるコアネットワークノード。
［第５の形態］
第１の形態のコアネットワークノードにおいて、
前記通信機能に関する情報は、前記基地局の候補のデュプレックスモード、周波数幅、ＭＩＭＯ構成を含む情報であり、前記ページング先選択部は、前記所定の移動局が対応する通信方式でページング可能な基地局又はセルを選択するコアネットワークノード。
［第６の形態］
第１の形態のコアネットワークノードにおいて、
前記通信機能に関する情報は、前記基地局の候補の運用形態を示す情報であり、前記ページング先選択部は、前記所定の移動局に対応する運用形態で動作している基地局又はセルを選択するコアネットワークノード。
［第７の形態］
第１〜第６いずれか一の形態のコアネットワークノードにおいて、
前記基地局と授受するメッセージの情報要素に代えて、移動局と授受するメッセージの情報要素から前記基地局の候補の通信機能に関する情報を取得するコアネットワークノード。
［第８の形態］
第１〜第６いずれか一の形態のコアネットワークノードにおいて、
前記基地局と授受するメッセージの情報要素に代えて、
移動局から前記基地局の候補の通信機能に関する情報を受信する外部サーバ経由で、前記ページングを行う範囲を選択するための情報を取得するコアネットワークノード。
［第９の形態］
（上記第２の視点による基地局、移動局又はサーバ参照）
［第１０の形態］
（上記第３の視点による通信システム参照）
［第１１の形態］
（上記第４の視点によるページング方法参照）
［第１２の形態］
（上記第５の視点によるコンピュータプログラム参照）
なお、上記第９〜第１２の形態は、第１の形態と同様に、第２〜第８の形態に展開することが可能である。
【０１１３】
なお、上記の非特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の開示の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【０１１４】
１００  ＭＭＥ
１００Ａ  ネットワークコアノード
１０１、２０１、２１１、２２１、３０１、９０１  送受信部
１０１Ａ  ページング候補記憶部
１０２、２０２、２１２、２２２、３０２、９０２  処理部
１０２Ａ  基地局情報記憶部
１０３、２０３、２１３、２２３、３０３、９０３  記憶部
１０３−１、１０３−２、１０３−３、１０３−４、１０３−５、１０３−ＵＥ  テーブル
１０３Ａ  ページング先選択部
１０４Ａ  ページング指示部
２００〜２２０、２００Ａ  ｅＮＢ（基地局）
２００−１〜２００−３、２１０−１〜２１０−３、２２０−１〜２２０−３  セル
３００  ＵＥ
９００  外部サーバ
【図１】
2016159356.tif 000003
【図２】
2016159356.tif 000004
【図３】
2016159356.tif 000005
【図４】
2016159356.tif 000006
【図５】
2016159356.tif 000007
【図６】
2016159356.tif 000008
【図７】
2016159356.tif 000009
【図８】
2016159356.tif 000010
【図９】
2016159356.tif 000011
【図１０】
2016159356.tif 000012
【図１１】
2016159356.tif 000013
【図１２】
2016159356.tif 000014
【図１３】
2016159356.tif 000015
【図１４】
2016159356.tif 000016
【図１５】
2016159356.tif 000017
【図１６】
2016159356.tif 000018
【図１７】
2016159356.tif 000019
【図１８】
2016159356.tif 000020
【図１９】
2016159356.tif 000021
【図２０】
2016159356.tif 000022
【図２１】
2016159356.tif 000023
【図２２】
2016159356.tif 000024
【図２３】
2016159356.tif 000025
【図２４】
2016159356.tif 000026
【図２５】
2016159356.tif 000027
【図２６】
2016159356.tif 000028
【図２７】
2016159356.tif 000029
【図２８】
2016159356.tif 000030
【図２９】
2016159356.tif 000031
【図３０】
2016159356.tif 000032
【図３１】
2016159356.tif 000033
【図３２】
2016159356.tif 000034
【図３３】
2016159356.tif 000035
【図３４】
2016159356.tif 000036
【図３５】
2016159356.tif 000037
【図３６】
2016159356.tif 000038
【図３７】
2016159356.tif 000039
【図３８】
2016159356.tif 000040
【図３９】
2016159356.tif 000041
【図４０】
2016159356.tif 000042
【図４１】
2016159356.tif 000043
【図４２】
2016159356.tif 000044
【図４３】
2016159356.tif 000045
【図４４】
2016159356.tif 000046
【図４５】
2016159356.tif 000047
【図４６】
2016159356.tif 000048
【図４７】
2016159356.tif 000049
【図４８】
2016159356.tif 000050
【図４９】
2016159356.tif 000051
【図５０】
2016159356.tif 000052
【図５１】
2016159356.tif 000053
【図５２】
2016159356.tif 000054
【国際調査報告】
2016159356.tif 000055
2016159356.tif 000056
2016159356.tif 000057
2016159356.tif 000058